(57)【要約】  本発明の実施形態は、セルクラスタリング方法および基地局を提供する。方法は、初期情報を取得するステップであって、初期情報が、サービングセルと近隣のセルとの間のハンドオーバについての情報またはサービングセルと近隣のセルとの間の干渉についての情報を示すために使用され、近隣のセルが、サービングセルに隣接するセルであり、サービングセルが、第1のユーザ機器UEがあるセルである、ステップと、初期情報に従ってサービングセルと近隣のセルとの間の干渉の評価指標を取得するステップと、干渉の評価指標に従ってサービングセルおよび近隣のセルをクラスタリングするステップとを含む。本発明の実施形態において提供されるセルクラスタリング方法および基地局は、通信システムの性能を高めることができる。
2017537532.tif 000002
【特許請求の範囲】
【請求項１】
セルクラスタリング方法であって、
初期情報を取得するステップであって、前記初期情報が、サービングセルと近隣のセルとの間のハンドオーバについての情報またはサービングセルと近隣のセルとの間の干渉についての情報を示すために使用され、前記近隣のセルが、前記サービングセルに隣接するセルであり、前記サービングセルが、第1のユーザ機器(UE)があるセルである、ステップと、
前記初期情報に従って前記サービングセルと前記近隣のセルとの間の干渉の評価指標を取得するステップと、
前記干渉の評価指標に従って前記サービングセルおよび前記近隣のセルをクラスタリングするステップとを含む、方法。
【請求項２】
前記初期情報に従って前記サービングセルと前記近隣のセルとの間の干渉の評価指標を取得する前記ステップが、
前記初期情報が前記サービングセルと前記近隣のセルとの間のハンドオーバについての前記情報を示すために使用されるとき、前記近隣のセルから前記サービングセルへのハンドオーバの第1のハンドオーバの量を取得することと、
前記第1のハンドオーバの量が第1の予め設定された閾値を超えている場合に、予め設定された第1の増加関数および前記第1のハンドオーバの量に従って前記サービングセルと前記近隣のセルとの間の干渉の前記評価指標を取得することとを含む請求項1に記載の方法。
【請求項３】
前記初期情報に従って前記サービングセルと前記近隣のセルとの間の干渉の評価指標を取得する前記ステップが、
前記初期情報が前記サービングセルと前記近隣のセルとの間のハンドオーバについての前記情報を示すために使用されるとき、前記サービングセルから前記近隣のセルへのハンドオーバの第2のハンドオーバの量を取得することと、
前記第2のハンドオーバの量が第2の予め設定された閾値を超えている場合に、予め設定された第2の増加関数および前記第2のハンドオーバの量に従って前記サービングセルと前記近隣のセルとの間の干渉の前記評価指標を取得することとを含む請求項1に記載の方法。
【請求項４】
前記初期情報に従って前記サービングセルと前記近隣のセルとの間の干渉の評価指標を取得する前記ステップが、
前記初期情報が前記サービングセルと前記近隣のセルとの間の干渉についての前記情報を示すために使用されるとき、前記近隣のセルに対して前記サービングセル内の複数のUEによって送信された信号のアップリンク基準信号受信電力(RSRP)に従って前記サービングセルと前記近隣のセルとの間の干渉の前記評価指標を取得することを含み、前記複数のUEが、前記第1のUEを含み、
前記サービングセル内の前記第1のUEによって前記近隣のセルに送信された信号のアップリンクRSRPを取得することが、
前記第1のUEによって報告されるダウンリンクRSRPに従って第1の信号の差を取得することであって、前記第1の信号の差が、前記サービングセルのダウンリンクRSRPと前記近隣のセルのダウンリンクRSRPとの間の信号の差であり、前記第1のUEによって報告される前記ダウンリンクRSRPが、前記サービングセルによって前記第1のUEに送信された信号のダウンリンクRSRPおよび前記近隣のセルによって前記第1のUEに送信された信号のダウンリンクRSRPを含む、取得することと、
前記第1の信号の差および前記第1のUEによって前記サービングセルに送信された信号のアップリンクRSRPに従って、前記第1のUEによって前記近隣のセルに送信された前記信号の前記アップリンクRSRPを取得することとを含む請求項1に記載の方法。
【請求項５】
前記初期情報に従って前記サービングセルと前記近隣のセルとの間の干渉の評価指標を取得する前記ステップが、
前記初期情報が前記サービングセルと前記近隣のセルとの間の干渉についての前記情報を示すために使用されるとき、前記サービングセルに対して前記近隣のセル内の複数のUEによって送信された信号のアップリンク基準信号受信電力RSRPに従って前記サービングセルと前記近隣のセルとの間の干渉の前記評価指標を取得することを含み、前記複数のUEが、第2のUEを含み、
前記近隣のセル内の前記第2のUEによって前記サービングセルに送信された信号のアップリンクRSRPを取得することが、
前記第2のUEによって報告されるダウンリンクRSRPに従って第2の信号の差を取得することであって、前記第2の信号の差が、前記近隣のセルのダウンリンクRSRPと前記サービングセルのダウンリンクRSRPとの間の信号の差であり、前記第2のUEによって報告される前記ダウンリンクRSRPが、前記近隣のセルによって前記第2のUEに送信された信号のダウンリンクRSRPおよび前記サービングセルによって前記第2のUEに送信された信号のダウンリンクRSRPを含む、取得することと、
前記第2の信号の差および前記第2のUEによって前記近隣のセルに送信された信号のアップリンクRSRPに従って、前記第2のUEによって前記サービングセルに送信された前記信号の前記アップリンクRSRPを取得することとを含む請求項1に記載の方法。
【請求項６】
前記干渉の評価指標に従って前記サービングセルおよび前記近隣のセルをクラスタリングする前記ステップが、
干渉の評価指標が第3の予め設定された閾値を超えている近隣のセルと、前記サービングセルとを、同じクラスタにグループ化することを含む請求項1から5のいずれか一項に記載の方法。
【請求項７】
前記干渉の評価指標に従って前記サービングセルおよび前記近隣のセルをクラスタリングする前に、
前記第1のUEと前記近隣のセルとの間の遅延が第4の予め設定された閾値未満であるとき、前記干渉の評価指標に従って前記サービングセルおよび前記近隣のセルをクラスタリングする動作を実行するステップをさらに含む請求項1から6のいずれか一項に記載の方法。
【請求項８】
初期情報を取得するように構成された第1の取得モジュールであって、前記初期情報が、サービングセルと近隣のセルとの間のハンドオーバについての情報またはサービングセルと近隣のセルとの間の干渉についての情報を示すために使用され、前記近隣のセルが、前記サービングセルに隣接するセルであり、前記サービングセルが、第1のユーザ機器UEがあるセルである、第1の取得モジュールと、
前記初期情報に従って前記サービングセルと前記近隣のセルとの間の干渉の評価指標を取得するように構成された第2の取得モジュールと、
前記干渉の評価指標に従って前記サービングセルおよび前記近隣のセルをクラスタリングするように構成されたクラスタリングモジュールとを含む基地局。
【請求項９】
前記第2の取得モジュールが、
前記初期情報が前記サービングセルと前記近隣のセルとの間のハンドオーバについての前記情報を示すために使用されるとき、前記近隣のセルから前記サービングセルへのハンドオーバの第1のハンドオーバの量を取得するように構成された第1のハンドオーバ量取得サブモジュールと、
前記第1のハンドオーバの量が第1の予め設定された閾値を超えている場合に、予め設定された第1の増加関数および前記第1のハンドオーバの量に従って前記サービングセルと前記近隣のセルとの間の干渉の前記評価指標を取得するように構成された第1の処理サブモジュールとを含む請求項8に記載の基地局。
【請求項１０】
前記第2の取得モジュールが、
前記初期情報が前記サービングセルと前記近隣のセルとの間のハンドオーバについての前記情報を示すために使用されるとき、前記サービングセルから前記近隣のセルへのハンドオーバの第2のハンドオーバの量を取得するように構成された第2のハンドオーバ量取得サブモジュールと、
前記第2のハンドオーバの量が第2の予め設定された閾値を超えている場合に、予め設定された第2の増加関数および前記第2のハンドオーバの量に従って前記サービングセルと前記近隣のセルとの間の干渉の前記評価指標を取得するように構成された第2の処理サブモジュールとを含む請求項8に記載の基地局。
【請求項１１】
前記第2の取得モジュールが、
前記初期情報が前記サービングセルと前記近隣のセルとの間の干渉についての前記情報を示すために使用されるとき、前記近隣のセルに対して前記サービングセル内の複数のUEによって送信された信号のアップリンク基準信号受信電力RSRPに従って前記サービングセルと前記近隣のセルとの間の干渉の前記評価指標を取得するように構成された第3の処理サブモジュールを含み、前記複数のUEが、前記第1のUEを含み、
前記第3の処理サブモジュールが、特に、
前記第1のUEによって報告されるダウンリンクRSRPに従って第1の信号の差を取得することであって、前記第1の信号の差が、前記サービングセルのダウンリンクRSRPと前記近隣のセルのダウンリンクRSRPとの間の信号の差であり、前記第1のUEによって報告される前記ダウンリンクRSRPが、前記サービングセルによって前記第1のUEに送信された信号のダウンリンクRSRPおよび前記近隣のセルによって前記第1のUEに送信された信号のダウンリンクRSRPを含む、取得することと、
前記第1の信号の差および前記第1のUEによって前記サービングセルに送信された信号のアップリンクRSRPに従って、前記第1のUEによって前記近隣のセルに送信された信号のアップリンクRSRPを取得することとを行うように構成される請求項8に記載の基地局。
【請求項１２】
前記第2の取得モジュールが、
前記初期情報が前記サービングセルと前記近隣のセルとの間の干渉についての前記情報を示すために使用されるとき、前記サービングセルに対して前記近隣のセル内の複数のUEによって送信された信号のアップリンク基準信号受信電力RSRPに従って前記サービングセルと前記近隣のセルとの間の干渉の前記評価指標を取得するように構成された第4の処理サブモジュールを含み、前記複数のUEが、第2のUEを含み、
前記第4の処理サブモジュールが、特に、
前記第2のUEによって報告されるダウンリンクRSRPに従って第2の信号の差を取得することであって、前記第2の信号の差が、前記近隣のセルのダウンリンクRSRPと前記サービングセルのダウンリンクRSRPとの間の信号の差であり、前記第2のUEによって報告される前記ダウンリンクRSRPが、前記近隣のセルによって前記第2のUEに送信された信号のダウンリンクRSRPおよび前記サービングセルによって前記第2のUEに送信された信号のダウンリンクRSRPを含む、取得することと、
前記第2の信号の差および前記第2のUEによって前記近隣のセルに送信された信号のアップリンクRSRPに従って、前記第2のUEによって前記サービングセルに送信された信号のアップリンクRSRPを取得することとを行うように構成される請求項8に記載の基地局。
【請求項１３】
前記クラスタリングモジュールが、特に、
干渉の評価指標が第3の予め設定された閾値を超えている近隣のセルと、前記サービングセルとを、同じクラスタにグループ化するように構成される請求項8から12のいずれか一項に記載の基地局。
【請求項１４】
前記第1のUEと前記近隣のセルとの間の遅延が第4の予め設定された閾値未満であるとき、前記干渉の評価指標に従って前記サービングセルおよび前記近隣のセルをクラスタリングする動作を実行するように構成された遅延判定モジュールをさらに含む請求項8から13のいずれか一項に記載の基地局。
【発明の詳細な説明】
【技術分野】
【０００１】
本発明の実施形態は、通信技術に関し、特に、セルクラスタリング方法および基地局に関する。
【背景技術】
【０００２】
セルは、ワイヤレス通信ネットワーク内の重要なネットワークユニットのうちの1つである。通信ネットワークにおいて、システムの全体的な性能は、通常、1つのセルのみがネットワーク最適化中に調整される場合、向上され得ない。したがって、実際のネットワーク最適化においては、通常、カバレッジが連続しており、トラフィックと品質との両方が関連するいくつかのセルが、全体的な分析および最適化を実行するために適切なセルクラスタに集約される必要がある。したがって、ネットワーク全体の複雑さが、減らされ得る。
【０００３】
従来技術においては、セルクラスタリングの間に、チャネルの状態、優先度、および地理的位置の変化などの要素を包括的に考慮することによって決定された協調するクラスタのサイズに応じて、利用可能なセルが「クラスタマスタ(cluster master)」、すなわち、クラスタの中心としてランダムに選択され、それから、セルクラスタリングを完了するために、利用可能なセルと協調するセルが、協調するシステムの容量を最大化し、予め決められた協調するクラスタのサイズに到達するように発見される。
【０００４】
しかし、従来技術においては、協調するクラスタのサイズが、予め決められる必要があり、第1のセルが、セルクラスタリングの間にランダムに選択される。したがって、ユーザの公平性が保証され得るが、クラスタリングの後にセルが置かれる通信システムの性能は、比較的低い。
【発明の概要】
【課題を解決するための手段】
【０００５】
本発明の実施形態は、通信システムの性能を高めるために、セルクラスタリング方法および基地局を提供する。
【０００６】
第1の態様によれば、本発明の実施形態が、
初期情報を取得するステップであって、初期情報が、サービングセルと近隣のセルとの間のハンドオーバについての情報またはサービングセルと近隣のセルとの間の干渉についての情報を示すために使用され、近隣のセルが、サービングセルに隣接するセルであり、サービングセルが、第1のユーザ機器UEがあるセルである、ステップと、
初期情報に従ってサービングセルと近隣のセルとの間の干渉の評価指標を取得するステップと、
干渉の評価指標に従ってサービングセルおよび近隣のセルをクラスタリングするステップとを含むセルクラスタリング方法を提供する。
【０００７】
第1の態様に関連して、第1の態様の第1のあり得る実装方法においては、初期情報に従ってサービングセルと近隣のセルとの間の干渉の評価指標を取得するステップが、
初期情報がサービングセルと近隣のセルとの間のハンドオーバについての情報を示すために使用されるとき、近隣のセルからサービングセルへのハンドオーバの第1のハンドオーバの量を取得することと、
第1のハンドオーバの量が第1の予め設定された閾値を超えている場合に、予め設定された第1の増加関数および第1のハンドオーバの量に従ってサービングセルと近隣のセルとの間の干渉の評価指標を取得することとを含む。
【０００８】
第1の態様に関連して、第1の態様の第2のあり得る実装方法においては、初期情報に従ってサービングセルと近隣のセルとの間の干渉の評価指標を取得するステップが、
サービングセルから近隣のセルへのハンドオーバの第2のハンドオーバの量を取得することと、
初期情報がサービングセルと近隣のセルとの間のハンドオーバについての情報を示すために使用されるとき、サービングセルから近隣のセルへのハンドオーバの第2のハンドオーバの量を取得し、第2のハンドオーバの量が第2の予め設定された閾値を超えている場合に、予め設定された第2の増加関数および第2のハンドオーバの量に従ってサービングセルと近隣のセルとの間の干渉の評価指標を取得することとを含む。
【０００９】
第1の態様に関連して、第1の態様の第3のあり得る実装方法においては、初期情報に従ってサービングセルと近隣のセルとの間の干渉の評価指標を取得するステップが、
初期情報がサービングセルと近隣のセルとの間の干渉についての情報を示すために使用されるとき、近隣のセルに対してサービングセル内の複数のUEによって送信された信号のアップリンク基準信号受信電力(reference signal received power)RSRPに従ってサービングセルと近隣のセルとの間の干渉の評価指標を取得することを含み、複数のUEが、第1のUEを含み、
サービングセル内の第1のUEによって近隣のセルに送信された信号のアップリンクRSRPを取得することが、
第1のUEによって報告されるダウンリンクRSRPに従って第1の信号の差を取得することであって、第1の信号の差が、サービングセルのダウンリンクRSRPと近隣のセルのダウンリンクRSRPとの間の信号の差であり、第1のUEによって報告されるダウンリンクRSRPが、サービングセルによって第1のUEに送信された信号のダウンリンクRSRPおよび近隣のセルによって第1のUEに送信された信号のダウンリンクRSRPを含む、取得することと、
第1の信号の差および第1のUEによってサービングセルに送信された信号のアップリンクRSRPに従って、第1のUEによって近隣のセルに送信された信号のアップリンクRSRPを取得することとを含む。
【００１０】
第1の態様に関連して、第1の態様の第4のあり得る実装方法においては、初期情報に従ってサービングセルと近隣のセルとの間の干渉の評価指標を取得するステップが、
初期情報がサービングセルと近隣のセルとの間の干渉についての情報を示すために使用されるとき、サービングセルに対して近隣のセル内の複数のUEによって送信された信号のアップリンク基準信号受信電力RSRPに従ってサービングセルと近隣のセルとの間の干渉の評価指標を取得することを含み、複数のUEが、第2のUEを含み、
近隣のセル内の第2のUEによってサービングセルに送信された信号のアップリンクRSRPを取得することが、
第2のUEによって報告されるダウンリンクRSRPに従って第2の信号の差を取得することであって、第2の信号の差が、近隣のセルのダウンリンクRSRPとサービングセルのダウンリンクRSRPとの間の信号の差であり、第2のUEによって報告されるダウンリンクRSRPが、近隣のセルによって第2のUEに送信された信号のダウンリンクRSRPおよびサービングセルによって第2のUEに送信された信号のダウンリンクRSRPを含む、取得することと、
第2の信号の差および第2のUEによって近隣のセルに送信された信号のアップリンクRSRPに従って、第2のUEによってサービングセルに送信された信号のアップリンクRSRPを取得することとを含む。
【００１１】
第1の態様または第1の態様の第1から第4のあり得る実装方法のいずれか1つに関連して、第1の態様の第5のあり得る実装方法においては、干渉の評価指標に従ってサービングセルおよび近隣のセルをクラスタリングするステップが、
干渉の評価指標が第3の予め設定された閾値を超えている近隣のセルと、サービングセルとを、同じクラスタにグループ化することを含む。
【００１２】
第1の態様または第1の態様の第1から第5のあり得る実装方法のいずれか1つに関連して、第1の態様の第6のあり得る実装方法においては、干渉の評価指標に従ってサービングセルおよび近隣のセルをクラスタリングする前に、方法が、
第1のUEと近隣のセルとの間の遅延が第4の予め設定された閾値未満であるとき、干渉の評価指標に従ってサービングセルおよび近隣のセルをクラスタリングする動作を実行するステップをさらに含む。
【００１３】
第2の態様によれば、本発明の実施形態が、
初期情報を取得するように構成された第1の取得モジュールであって、初期情報が、サービングセルと近隣のセルとの間のハンドオーバについての情報またはサービングセルと近隣のセルとの間の干渉についての情報を示すために使用され、近隣のセルが、サービングセルに隣接するセルであり、サービングセルが、第1のユーザ機器UEがあるセルである、第1の取得モジュールと、
初期情報に従ってサービングセルと近隣のセルとの間の干渉の評価指標を取得するように構成された第2の取得モジュールと、
干渉の評価指標に従ってサービングセルおよび近隣のセルをクラスタリングするように構成されたクラスタリングモジュールとを含む基地局を提供する。
【００１４】
第2の態様に関連して、第2の態様の第1のあり得る実装方法においては、第2の取得モジュールが、
初期情報がサービングセルと近隣のセルとの間のハンドオーバについての情報を示すために使用されるとき、近隣のセルからサービングセルへのハンドオーバの第1のハンドオーバの量を取得するように構成された第1のハンドオーバ量取得サブモジュールと、
第1のハンドオーバの量が第1の予め設定された閾値を超えている場合に、予め設定された第1の増加関数および第1のハンドオーバの量に従ってサービングセルと近隣のセルとの間の干渉の評価指標を取得するように構成された第1の処理サブモジュールとを含む。
【００１５】
第2の態様に関連して、第2の態様の第2のあり得る実装方法においては、第2の取得モジュールが、
初期情報がサービングセルと近隣のセルとの間のハンドオーバについての情報を示すために使用されるとき、サービングセルから近隣のセルへのハンドオーバの第2のハンドオーバの量を取得するように構成された第2のハンドオーバ量取得サブモジュールと、
第2のハンドオーバの量が第2の予め設定された閾値を超えている場合に、予め設定された第2の増加関数および第2のハンドオーバの量に従ってサービングセルと近隣のセルとの間の干渉の評価指標を取得するように構成された第2の処理サブモジュールとを含む。
【００１６】
第2の態様に関連して、第2の態様の第3のあり得る実装方法においては、第2の取得モジュールが、
初期情報がサービングセルと近隣のセルとの間の干渉についての情報を示すために使用されるとき、近隣のセルに対してサービングセル内の複数のUEによって送信された信号のアップリンク基準信号受信電力RSRPに従ってサービングセルと近隣のセルとの間の干渉の評価指標を取得するように構成された第3の処理サブモジュールを含み、複数のUEが、第1のUEを含み、
第3の処理サブモジュールが、特に、
第1のUEによって報告されるダウンリンクRSRPに従って第1の信号の差を取得することであって、第1の信号の差が、サービングセルのダウンリンクRSRPと近隣のセルのダウンリンクRSRPとの間の信号の差であり、第1のUEによって報告されるダウンリンクRSRPが、サービングセルによって第1のUEに送信された信号のダウンリンクRSRPおよび近隣のセルによって第1のUEに送信された信号のダウンリンクRSRPを含む、取得することと、
第1の信号の差および第1のUEによってサービングセルに送信された信号のアップリンクRSRPに従って、第1のUEによって近隣のセルに送信された信号のアップリンクRSRPを取得することとを行うように構成される。
【００１７】
第2の態様に関連して、第2の態様の第4のあり得る実装方法においては、第2の取得モジュールが、
初期情報がサービングセルと近隣のセルとの間の干渉についての情報を示すために使用されるとき、サービングセルに対して近隣のセル内の複数のUEによって送信された信号のアップリンク基準信号受信電力RSRPに従ってサービングセルと近隣のセルとの間の干渉の評価指標を取得するように構成された第4の処理サブモジュールを含み、複数のUEが、第2のUEを含み、
第4の処理サブモジュールが、特に、
第2のUEによって報告されるダウンリンクRSRPに従って第2の信号の差を取得することであって、第2の信号の差が、近隣のセルのダウンリンクRSRPとサービングセルのダウンリンクRSRPとの間の信号の差であり、第2のUEによって報告されるダウンリンクRSRPが、近隣のセルによって第2のUEに送信された信号のダウンリンクRSRPおよびサービングセルによって第2のUEに送信された信号のダウンリンクRSRPを含む、取得することと、
第2の信号の差および第2のUEによって近隣のセルに送信された信号のアップリンクRSRPに従って、第2のUEによってサービングセルに送信された信号のアップリンクRSRPを取得することとを行うように構成される。
【００１８】
第2の態様または第2の態様の第1から第4のあり得る実装方法のいずれか1つに関連して、第2の態様の第5のあり得る実装方法においては、クラスタリングモジュールが、特に、
干渉の評価指標が第3の予め設定された閾値を超えている近隣のセルと、サービングセルとを、同じクラスタにグループ化するように構成される。
【００１９】
第2の態様または第2の態様の第1から第5のあり得る実装方法のいずれか1つに関連して、第2の態様の第6のあり得る実装方法においては、基地局が、
第1のUEと近隣のセルとの間の遅延が第4の予め設定された閾値未満であるとき、干渉の評価指標に従ってサービングセルおよび近隣のセルをクラスタリングする動作を実行するように構成された遅延判定モジュールをさらに含む。
【００２０】
本発明の実施形態において提供されるセルクラスタリング方法および基地局によれば、サービングセルと近隣のセルとの間の干渉の評価指標が、取得された初期情報を使用することによって得られ、サービングセルおよび近隣のセルが、干渉の評価指標に従ってクラスタリングされる。初期情報は、サービングセルと近隣のセルとの間のハンドオーバについての情報、またはサービングセルと近隣のセルとの間の干渉についての情報を示すために使用される。近隣のセルは、サービングセルに隣接するセルであり、サービングセルは、第1のユーザ機器UEがあるセルである。セルの間の干渉の評価指標が近隣のセルの初期情報に従って得られ、それから、セルが協調するクラスタに動的にグループ化されるので、通信システムの性能が高められる。
【００２１】
本発明の実施形態または従来技術における技術的解決策をより明瞭に説明するために、以下で、実施形態または従来技術を説明するために必要とされる添付の図面を簡潔に説明する。明らかに、以下の説明の添付の図面は、本発明の一部の実施形態を示しており、当業者は、創造的な努力なしにこれらの添付の図面からその他の図面を導き出すことがやはり可能である。
【図面の簡単な説明】
【００２２】
【図１】本発明の実施形態によるセルクラスタリング方法の概略的な流れ図である。
【図２】本発明の別の実施形態によるセルクラスタリング方法の概略的な流れ図である。
【図３】通信システムにおける複数セルの協調の概略的な構造図である。
【図４】本発明の実施形態による基地局の概略的な構造図である。
【図５】本発明の別の実施形態による基地局の概略的な構造図である。
【図６】本発明のさらに別の実施形態による基地局の概略的な構造図である。
【発明を実施するための形態】
【００２３】
本発明の実施形態の目的、技術的解決策、および利点をより明瞭にするために、以下で、本発明の実施形態の技術的解決策を本発明の実施形態の添付の図面を参照して明瞭に説明する。明らかに、説明される実施形態は、本発明の実施形態のすべてではなく一部である。創造的な努力なしに本発明の実施形態に基づいて当業者によって得られたすべてのその他の実施形態は、本発明の保護範囲内に入る。
【００２４】
本発明の実施形態において提供される方法は、異なる標準、たとえば、移動体通信用グローバルシステム(Global System for Mobile communication、略してGSM(登録商標))、符号分割多元接続(Code Division Multiple Access、略してCDMA)システム、CDMA2000システム、広帯域符号分割多元接続(Wideband Code Division Multiple Access、略してWCDMA(登録商標))システム、時分割同期符号分割多元接続(Time Division-Synchronous Code Division Multiple Access、略してTD-SCDMA)システム、およびロングタームエボリューション(Long Term Evolution、LTE)システムもしくはLTEの後続の発展システムなどのワイヤレスネットワークに適用され得る。無線アクセスネットワークは、異なるシステムの異なるネットワーク要素を含む可能性がある。たとえば、LTEおよびLTEの後続の発展システムの無線アクセスネットワークのネットワーク要素は、進化型NodeB(evolved NodeB、eNodeB)を含み、これは、本発明の実施形態において限定されない。
【００２５】
図1は、本発明の実施形態によるセルクラスタリング方法の概略的な流れ図である。図1に示されるように、この実施形態の方法は、以下のステップを含む可能性がある。
【００２６】
ステップ101:  初期情報を取得し、初期情報は、サービングセルと近隣のセルとの間のハンドオーバについての情報またはサービングセルと近隣のセルとの間の干渉についての情報を示すために使用され、近隣のセルは、サービングセルに隣接するセルであり、サービングセルは、第1のユーザ機器UEがあるセルである。
【００２７】
この実施形態においては、初期情報は、サービングセルと近隣のセルとの間の周波数内ハンドオーバについての情報、サービングセルと近隣のセルとの間の干渉についての情報、サービングセルと近隣のセルとの間の遅延についての情報などを含む。1つまたは複数の近隣のセルが、存在する可能性があり、近隣のセルの量は、本発明において特に限定されない。
【００２８】
ステップ102:  初期情報に従ってサービングセルと近隣のセルとの間の干渉の評価指標を取得する。
【００２９】
この実施形態においては、任意の近隣のセルに関して、近隣のセルの初期情報を取得した後、サービングセルが属する基地局が、初期情報に従って計算することによって、近隣のセルに対してサービングセルによって引き起こされる干渉の評価指標またはサービングセルに対して近隣のセルによって引き起こされる干渉の評価指標を取得し得る。
【００３０】
ステップ103:  干渉の評価指標に従ってサービングセルおよび近隣のセルをクラスタリングする。
【００３１】
この実施形態においては、サービングセルおよび近隣のセルをクラスタリングするために近隣のセルに対してサービングセルによって引き起こされる干渉の評価指標が使用されるのかまたはサービングセルに対して近隣のセルによって引き起こされる干渉の評価指標が使用されるかは、協調アルゴリズムの種類に応じて決定され得る。特定の実装プロセスにおいては、協調アルゴリズムの出力が近隣のセルの代わりにサービングセルにのみ影響を与える場合に、サービングセルが属する基地局が、サービングセルに対して近隣のセルによって引き起こされる干渉の評価指標に従ってサービングセルおよび近隣のセルをクラスタリングするか、または協調アルゴリズムの出力がサービングセルと近隣のセルとの両方に影響を与える場合に、サービングセルが属する基地局が、近隣のセルに対してサービングセルによって引き起こされる干渉の評価指標に従ってサービングセルおよび近隣のセルをクラスタリングする。協調アルゴリズムは、協調干渉予測適応変調符号化(Adaptive Modulation and Coding、略してAMC)アルゴリズム、マルチセル干渉除去アルゴリズム、協調されたスケジューリングに基づく電力制御(coordinated scheduling-based power control)アルゴリズムなどである可能性がある。特定の実装プロセスにおいては、異なる応用に応じて異なる協調アルゴリズムが選択される可能性がある。協調アルゴリズムの特定の種類は、本発明において本明細書で特に限定されない。
【００３２】
さらに、この実施形態のセルクラスタリング方法は、予め設定された時間の間隔で実行される可能性がある。サービングセルと近隣のセルとの間の干渉の評価指標が変わる場合、セルクラスタリングの方法が、それに応じて代わる。つまり、セルがクラスタリングされた後に得られる協調するクラスタは、固定されておらず、セルの間の干渉についての情報に応じて動的に更新される。したがって、通信システムの性能が高められ得る。
【００３３】
本発明のこの実施形態において提供されるセルクラスタリング方法によれば、サービングセルと近隣のセルとの間の干渉の評価指標が、取得された初期情報を使用することによって得られ、サービングセルおよび近隣のセルが、干渉の評価指標に従ってクラスタリングされる。初期情報は、サービングセルと近隣のセルとの間のハンドオーバについての情報、またはサービングセルと近隣のセルとの間の干渉についての情報を示すために使用される。近隣のセルは、サービングセルに隣接するセルであり、サービングセルは、第1のユーザ機器UEがあるセルである。セルの間の干渉の評価指標が近隣のセルの初期情報に従って得られ、それから、セルが協調するクラスタに動的にグループ化されるので、通信システムの性能が高められる。
【００３４】
上述のセルクラスタリング方法の実施形態に基づいて、初期情報に従ってサービングセルと近隣のセルとの間の干渉の評価指標を取得する以下の方法が存在する可能性がある。実際の応用プロセスにおいては、計算が、以下の方法のうちのいずれか1つを使用することによって特定の応用に応じて実行され得る。
【００３５】
方法1:  初期情報がサービングセルと近隣のセルとの間のハンドオーバについての情報を示すために使用されるとき、近隣のセルに対してサービングセルによって引き起こされる干渉の評価指標が、近隣のセルからサービングセルへのハンドオーバの第1のハンドオーバの量に応じて得られる。
【００３６】
特に近隣のセルおよびサービングセルが互いに隣接しているかどうかが、2つのセルの間のハンドオーバの量を取得することによって知られる可能性がある。当業者は、近隣のセルからサービングセルへのハンドオーバの第1のハンドオーバの量が第1の予め設定された閾値を超えている場合、それが近隣のセルおよびサービングセルが互いに物理的に隣接しており、特定の強度の干渉が2つのセルの間に存在することを間接的に示す可能性があることを理解するであろう。特定の実装プロセスにおいて、第1の予め設定された閾値は、実際の応用または経験により選択され得る。第1の予め設定された閾値の特定の値の選択は、この実施形態において本明細書で特に限定されない。
【００３７】
近隣のセルからサービングセルへのハンドオーバの第1のハンドオーバの量が、第1のハンドオーバの量が第1の予め設定された閾値を超えているかどうかを判定するために取得される。第1のハンドオーバの量が第1の予め設定された閾値を超えていることが知られる場合、特に近隣のセルに対してサービングセルによって引き起こされる干渉の評価指標であるサービングセルと近隣のセルとの間の干渉の評価指標が、予め設定された第1の増加関数および第1のハンドオーバの量に従って得られる。特定の実装プロセスにおいて、第1の増加関数を使用することによって式(1.1)に従って、第1のハンドオーバの量が近隣のセルに対してサービングセルによって引き起こされる干渉の評価指標にマッピングされ得る。第1の増加関数は、任意の増加関数である可能性があり、たとえば、線形の増加関数または指数的な増加関数である可能性があり、第1の増加関数の種類は、本発明において限定されない。
Aij = function(Nji)   (1.1)、ここで
iは、サービングセルであり、jは、近隣のセルであり、Aijは、近隣のセルに対してサービングセルによって引き起こされる干渉の評価指標であり、Njiは、第1のハンドオーバの量である。
【００３８】
方法2:  初期情報がサービングセルと近隣のセルとの間のハンドオーバについての情報を示すために使用されるとき、サービングセルに対して近隣のセルによって引き起こされる干渉の評価指標が、サービングセルから近隣のセルへのハンドオーバの第2のハンドオーバの量に応じて得られる。
【００３９】
特に近隣のセルおよびサービングセルが互いに隣接しているかどうかが、2つのセルの間のハンドオーバの量を取得することによって知られる可能性がある。当業者は、サービングセルから近隣のセルへのハンドオーバの第2のハンドオーバの量が第2の予め設定された閾値を超えている場合、それがサービングセルおよび近隣のセルが互いに物理的に隣接しており、特定の強度の干渉が2つのセルの間に存在することを間接的に示すことを理解するであろう。特定の実装プロセスにおいて、第2の予め設定された閾値は、実際の応用または経験により選択され得る。第2の予め設定された閾値の特定の値の選択は、この実施形態において本明細書で特に限定されない。
【００４０】
サービングセルから近隣のセルへのハンドオーバの第2のハンドオーバの量が、第2のハンドオーバの量が第2の予め設定された閾値を超えているかどうかを判定するために取得される。第2のハンドオーバの量が第2の予め設定された閾値を超えていることが知られる場合、特にサービングセルに対して近隣のセルによって引き起こされる干渉の評価指標であるサービングセルと近隣のセルとの間の干渉の評価指標が、予め設定された第2の増加関数および第2のハンドオーバの量に従って得られる。特定の実装プロセスにおいて、第2の増加関数を使用することによって式(1.2)に従って、第2のハンドオーバの量がサービングセルに対して近隣のセルによって引き起こされる干渉の評価指標にマッピングされ得る。第2の増加関数は、任意の増加関数である可能性があり、たとえば、線形の増加関数または指数的な増加関数である可能性があり、第2の増加関数の種類は、本発明において限定されない。
Aji = function(Nij)   (1.2)、ここで
iは、サービングセルであり、jは、近隣のセルであり、Ajiは、サービングセルに対して近隣のセルによって引き起こされる干渉の評価指標であり、Nijは、第2のハンドオーバの量である。
【００４１】
加えて、第2の増加関数は、第1の増加関数と同じであるかまたは異なる可能性がある。
【００４２】
方法3:  初期情報がサービングセルと近隣のセルとの間の干渉についての情報を示すために使用されるとき、近隣のセルに対してサービングセルによって引き起こされる干渉の評価指標は、サービングセル内の複数のユーザ機器(User Equipment、略してUE)によって近隣のセルに送信された信号のアップリンク基準信号受信電力(Reference Signal Receiving Power、略してRSRP)に従って得られる。
【００４３】
特に、特に近隣のセルに対してサービングセルによって引き起こされる干渉の評価指標であるサービングセルと近隣のセルとの間の干渉の評価指標は、サービングセル内の複数のUEによって近隣のセルに送信された信号のアップリンクRSRPを平均する方法で得られる可能性がある。好ましくは、サービングセル内のすべてのUEによって近隣のセルに送信された信号のアップリンクRSRPが、平均される可能性がある。特定の実装プロセスにおいて、サービングセルと近隣のセルとの間の干渉の評価指標は、式(1.3)に従って計算され得る。
【００４４】
【数１】
2017537532.tif 000003
【００４５】
、ここで
iは、サービングセルであり、jは、近隣のセルであり、Aijは、近隣のセルに対してサービングセルによって引き起こされる干渉の評価指標であり、U(i)は、サービングセル内のすべてのUEの組であり、k1は、サービングセル内にある第1のUEであり、RSRP_ULij(k1)は、第1のUEによって近隣のセルに送信された信号のアップリンクRSRPである。
【００４６】
以下で、サービングセル内の第1のUEによって近隣のセルに送信された信号のアップリンクRSRPを計算する方法を詳細に説明する。
【００４７】
第1の信号の差が、第1のUEによって報告されるダウンリンクRSRPに従って最初に取得される。第1の信号の差は、サービングセルのダウンリンクRSRPと近隣のセルのダウンリンクRSRPとの間の信号の差である。第1のUEによって報告されるダウンリンクRSRPは、サービングセルによって第1のUEに送信された信号のダウンリンクRSRPと、近隣のセルによって第1のUEに送信された信号のダウンリンクRSRPとを含む。第1のUEによって報告されるダウンリンクRSRPを取得した後、サービングセルが属する基地局が、式(1.4)にしたがって計算することによって、サービングセルのダウンリンクRSRPと近隣のセルのダウンリンクRSRPとの間の信号の差を取得し得る。
ΔRSRP_DLij(k1) = RSRP_DLj(k1) - RSRP_DLi(k1)   (1.4)、ここで
ΔRSRP_DLij(k1)は、サービングセルのダウンリンクRSRPと近隣のセルのダウンリンクRSRPとの間の信号の差であり、RSRP_DLj(k1)は、近隣のセルによって第1のUEに送信された信号のダウンリンクRSRPであり、RSRP_DLi(k1)は、サービングセルによって第1のUEに送信された信号のダウンリンクRSRPである。
【００４８】
第1の信号の差を取得した後、サービングセルが属する基地局が、第1の信号の差および第1のUEによってサービングセルに送信された信号のアップリンクRSRPに従って、第1のUEによって近隣のセルに送信された信号のアップリンクRSRPを取得する。特定の実装プロセスにおいて、第1のUEによって近隣のセルに送信された信号のアップリンクRSRPは、式(1.5)に従って計算され得る。
RSRP_ULij(k1) = RSRP_ULi(k1) + ΔRSRP_DLij(k1)   (1.5)、ここで
RSRP_ULij(k1)は、第1のUEによって近隣のセルに送信された信号のアップリンクRSRPであり、RSRP_ULi(k1)は、第1のUEによってサービングセルに送信された信号のアップリンクRSRPである。
【００４９】
サービングセル内のその他のUEによって近隣のセルに送信された信号のアップリンクRSRPを取得する方法は、第1のUEによって近隣のセルに送信された信号のアップリンクRSRPを取得する方法と同様であり、詳細は、本明細書において再び説明されないことに留意されたい。
【００５０】
方法4:  初期情報がサービングセルと近隣のセルとの間の干渉についての情報を示すために使用されるとき、サービングセルに対して近隣のセルによって引き起こされる干渉の評価指標は、近隣のセル内の複数のUEによってサービングセルに送信された信号のアップリンクRSRPに従って得られる。
【００５１】
特に、特にサービングセルに対して近隣のセルによって引き起こされる干渉の評価指標であるサービングセルと近隣のセルとの間の干渉の評価指標は、近隣のセル内の複数のUEによってサービングセルに送信された信号のアップリンクRSRPを平均する方法で得られる可能性がある。好ましくは、近隣のセル内のすべてのUEによってサービングセルに送信された信号のアップリンクRSRPが、平均される可能性がある。特定の実装プロセスにおいて、サービングセルと近隣のセルとの間の干渉の評価指標は、式(1.6)に従って計算され得る。
【００５２】
【数２】
2017537532.tif 000004
【００５３】
、ここで
iは、サービングセルであり、jは、近隣のセルであり、Ajiは、サービングセルに対して近隣のセルによって引き起こされる干渉の評価指標であり、U(j)は、近隣のセル内のすべてのUEの組であり、k2は、近隣のセル内にある第2のUEであり、RSRP_ULji(k2)は、第2のUEによってサービングセルに送信された信号のアップリンクRSRPである。
【００５４】
以下で、近隣のセル内の第2のUEによってサービングセルに送信された信号のアップリンクRSRPを計算する方法を詳細に説明する。
【００５５】
第2の信号の差が、第2のUEによって報告されるダウンリンクRSRPに従って最初に取得される。第2の信号の差は、近隣のセルのダウンリンクRSRPとサービングセルのダウンリンクRSRPとの間の信号の差である。第2のUEによって報告されるダウンリンクRSRPは、近隣のセルによって第2のUEに送信された信号のダウンリンクRSRPと、サービングセルによって第2のUEに送信された信号のダウンリンクRSRPとを含む。第2のUEによって報告されるダウンリンクRSRPを取得した後、サービングセルが属する基地局が、式(1.7)にしたがって計算することによって、近隣のセルのダウンリンクRSRPとサービングセルのダウンリンクRSRPとの間の信号の差を取得し得る。
ΔRSRP_DLji(k2) = RSRP_DLi(k2) - RSRP_DLj(k2)   (1.7)、ここで
ΔRSRP_DLji(k2)は、近隣のセルのダウンリンクRSRPとサービングセルのダウンリンクRSRPとの間の信号の差であり、RSRP_DLi(k2)は、サービングセルによって第2のUEに送信された信号のダウンリンクRSRPであり、RSRP_DLj(k2)は、サービングセルによって第2のUEに送信された信号のダウンリンクRSRPである。
【００５６】
第2の信号の差を取得した後、サービングセルが属する基地局が、第2の信号の差および第2のUEによって近隣のセルに送信された信号のアップリンクRSRPに従って、第2のUEによってサービングセルに送信された信号のアップリンクRSRPを取得する。特定の実装プロセスにおいて、第2のUEによってサービングセルに送信された信号のアップリンクRSRPは、式(1.8)に従って計算され得る。
RSRP_ULji(k2) = RSRP_ULj(k2) + ΔRSRP_DLji(k2)   (1.8)、ここで
RSRP_ULji(k2)は、第2のUEによってサービングセルに送信された信号のアップリンクRSRPであり、RSRP_ULj(k2)は、第2のUEによって近隣のセルに送信された信号のアップリンクRSRPである。
【００５７】
さらに、近隣のセル内のその他のUEによってサービングセルに送信された信号のアップリンクRSRPを取得する方法は、第2のUEによってサービングセルに送信された信号のアップリンクRSRPを取得する方法と同様であり、詳細は、本明細書において再び説明されないことに留意されたい。
【００５８】
干渉の評価指標を取得する第3および第4の方法に関しては、サービングセル内の複数のUEによって近隣のセルに送信された信号のアップリンクRSRP、または近隣のセル内の複数のUEによってサービングセルに送信された信号のアップリンクRSRPが測定によって直接取得され得る場合、サービングセルと近隣のセルとの間の干渉の評価指標は、測定された値を使用することによって式(1.3)または(1.6)に従って計算することにより直接取得され得ることに留意されたい。
【００５９】
本発明のこの実施形態において提供されるセルクラスタリング方法によれば、サービングセルと近隣のセルとの間の干渉の評価指標が、異なる取得された初期情報を使用することにより計算することによって得られる。したがって、干渉の評価指標の計算が簡素化され、計算の正確さが高められる。
【００６０】
図2は、本発明の別の実施形態によるセルクラスタリング方法の概略的な流れ図である。本発明のこの実施形態は、セルクラスタリング方法を提供する。図2に示されるように、この実施形態の方法は、以下のステップを含む可能性がある。
【００６１】
ステップ201:  初期情報を取得し、初期情報は、サービングセルと近隣のセルとの間のハンドオーバについての情報またはサービングセルと近隣のセルとの間の干渉についての情報を示すために使用され、近隣のセルは、サービングセルに隣接するセルであり、サービングセルは、第1のユーザ機器UEがあるセルである。
【００６２】
図3は、通信システムにおける複数セルの協調の概略的な構造図である。図3に示されるように、複数のセルが、通信システム内に存在する可能性がある。第1のUEがセル2内にある場合、セル2が、サービングセルとして働き、セル2に隣接するすべてのセルが、近隣のセルである。セル2が属する基地局は、セル2と近隣のセルとの間の周波数内ハンドオーバについての情報、セル2と近隣のセルとの間の干渉についての情報、セル2と近隣のセルとの間の遅延に付いての情報などを取得し得る。
【００６３】
ステップ202:  初期情報に従ってサービングセルと近隣のセルとの間の干渉の評価指標を取得する。
【００６４】
特に、初期情報を取得した後、サービングセルが属する基地局は、初期情報に従って、近隣のセルに対してサービングセルによって引き起こされる干渉の評価指標またはサービングセルに対して近隣のセルによって引き起こされる干渉の評価指標を取得し得る。たとえば、セル2とセル2に隣接するセル1との両方の初期情報が取得された後、セル1に対してセル2によって引き起こされる干渉の評価指標またはセル2に対してセル1によって引き起こされる干渉の評価指標が、知られ得る。加えて、別の近隣のセルに対してセル2によって引き起こされる干渉の評価指標を取得するための方法と、セル2に対して別の近隣のセルによって引き起こされる干渉の評価指標を取得する方法は、上述の方法と同様であり、詳細は、本明細書において再び説明されない。
【００６５】
ステップ203:  干渉の評価指標が第3の予め設定された閾値を超えている近隣のセルと、サービングセルとを、同じクラスタにグループ化する。
【００６６】
この実施形態においては、協調されたスケジューリングに基づく電力制御アルゴリズムなどの協調アルゴリズムの種類および出力によって、協調アルゴリズムがサービングセルと近隣のセルとの両方に影響を与えると判定される場合、サービングセルが属する基地局は、サービングセルによる干渉を受けるすべての近隣のセルを特定し、これらの近隣のセルとサービングセルとを同じセルクラスタにグループ化する。特定の実装プロセスにおいて、サービングセルと近隣のセルとの間の干渉の評価指標を取得する方法のうちの第1の方法または第3の方法は、すべての近隣のセルに対してサービングセルによって引き起こされる干渉の評価指標を計算するために使用される可能性があり、第3の予め設定された閾値を超えている干渉の評価指標に対応する近隣のセルと、サービングセルとが、同じクラスタにグループ化される。たとえば、セル2がサービングセルとして働く場合、セル1に対してセル2によって引き起こされる干渉の評価指標、セル4に対してセル2によって引き起こされる干渉の評価指標、セル5に対してセル2によって引き起こされる干渉の評価指標、およびセル3に対してセル2によって引き起こされる干渉の評価指標が、計算によって得られる。セル1に対してセル2によって引き起こされる干渉の評価指標およびセル4に対してセル2によって引き起こされる干渉の評価指標が第3の予め設定された閾値を超えている場合、セル2、セル1、およびセル4が、同じクラスタにグループ化される。
【００６７】
加えて、協調アルゴリズムの出力がサービングセルと近隣のセルとの両方に影響を与えるとき、協調するクラスタがセルをクラスタリングすることによって得られた後、協調するクラスタ内の近隣のセルに関する情報が、ネットワークの最適化中に使用される必要がある。通信システムの全体的な性能が、協調するクラスタにおいてネットワークの最適化を実行することによって高められる。
【００６８】
さらに、協調干渉予測AMCアルゴリズムまたはマルチセル干渉除去アルゴリズムなどの協調アルゴリズムの種類および出力によって、協調アルゴリズムが近隣のセルではなくサービングセルにのみ影響を与えると判定される場合、サービングセルが属する基地局は、サービングセルに干渉するすべての近隣のセルを特定し、これらの近隣のセルと、サービングセルとを、同じセルクラスタにグループ化する。特定の実装プロセスにおいて、サービングセルと近隣のセルとの間の干渉の評価指標を取得する方法のうちの第2の方法または第4の方法は、サービングセルに対してすべての近隣のセルによって引き起こされる干渉の評価指標を計算するために使用される可能性があり、第3の予め設定された閾値を超えている干渉の評価指標に対応する近隣のセルと、サービングセルとが、同じクラスタにグループ化される。たとえば、セル2がサービングセルとして働く場合、セル2に対してセル1によって引き起こされる干渉の評価指標、セル2に対してセル4によって引き起こされる干渉の評価指標、セル2に対してセル5によって引き起こされる干渉の評価指標、およびセル2に対してセル3によって引き起こされる干渉の評価指標が、計算される。セル2に対してセル1によって引き起こされる干渉の評価指標およびセル2に対してセル4によって引き起こされる干渉の評価指標が第3の予め設定された閾値を超えている場合、セル1、セル4、およびセル2が、同じクラスタにグループ化される。
【００６９】
第3の予め設定された閾値は、実際の要件に応じて選択される可能性があり、適切な値が、特定の実装プロセスにおける経験に従って選択される可能性がある。第3の予め設定された閾値の特定の値の選択は、この実施形態において本明細書で特に限定されない。
【００７０】
加えて、協調アルゴリズムの出力が近隣のセルではなくサービングセルにのみ影響を与えるとき、協調するクラスタがセルをクラスタリングすることによって得られた後、協調するクラスタ内の近隣のセルに関する情報が、ネットワークの最適化中に使用される必要がある。通信システムの全体的な性能が、サービングセルにおいて最適化を実行することによって高められ得る。
【００７１】
本発明のこの実施形態において提供されるセルクラスタリング方法によれば、サービングセルと近隣のセルとの間の干渉の評価指標が、取得された初期情報を使用することによって得られ、サービングセルおよび近隣のセルが、干渉の評価指標に従ってクラスタリングされる。初期情報は、サービングセルと近隣のセルとの間のハンドオーバについての情報、またはサービングセルと近隣のセルとの間の干渉についての情報を示すために使用される。近隣のセルは、サービングセルに隣接するセルであり、サービングセルは、第1のUEがあるセルである。セルの間の干渉の評価指標が近隣のセルの初期情報に従って得られ、それから、セルが協調するクラスタに動的にグループ化されるので、通信システムの性能が高められる。さらに、干渉の評価指標が第3の予め設定された閾値を超えているかどうかが判定された、判定の結果に応じてクラスタリングが実行される。したがって、クラスタリングの正確さが高められる。
【００７２】
さらに、上述の方法の実施形態においては、協調アルゴリズムがたとえばインターネットプロトコル無線アクセスネットワーク(Internet Protocol Radio Access Network、略してIP RAN)における情報のやりとりの遅延に関する要件を有する場合、セルクラスタリングが実行される前に、まず、第1のUEと近隣のセルとの間の遅延が第4の予め設定された閾値未満であるかどうかを判定することが必要とされる。遅延が第4の予め設定された閾値未満である、つまり、情報のやりとりに関する協調アルゴリズムの遅延の要件が満たされると判定される場合、サービングセルと近隣のセルとが、協調するクラスタを得るために干渉の評価指標に従ってクラスタリングされ、または第1のUEと近隣のセルとの間の遅延が情報のやりとりに関する協調アルゴリズムの遅延の要件を満たさない場合、近隣のセルが、クラスタリング中に考慮されない。
【００７３】
第1のUEと近隣のセルとの間の遅延が第4の予め設定された閾値未満であると判定する動作が、サービングセルと近隣のセルとの間の干渉の評価指標を取得する前に実行される可能性もあることに留意されたい。
【００７４】
加えて、従来技術においては、セルクラスタリング中に、概して、利用可能なセルが、クラスタリングを実行する「クラスタマスタ」としてランダムに選択され、このことが、通信システムの比較的低い性能をもたらす。しかし、この実施形態においては、各セルが、「クラスタマスタ」の役割を担う。したがって、通信システムの性能が高められ得る一方で、ユーザの公平性が保証され得る。
【００７５】
さらに、すべてのセルからなり、上述の実施形態のクラスタリング方法を使用することによってセルをクラスタリングすることにより得られる協調するクラスタは、互いに重なり合う可能性があり、または重なり合わない可能性がある。加えて、当業者は、この方法で得られた協調するクラスタがセルレベルのものであることを理解するであろう。したがって、協調するシステムの容量は、考慮される必要がなく、したがって、クラスタリングアルゴリズムの複雑さが、減らされ得る。
【００７６】
さらに、上述の方法の実施形態においては、セルクラスタリングが完了し、協調するクラスタが得られた後、IP RANネットワーキングモードにある場合、サービングセルが属する基地局が、X2インターフェースを使用することによって、協調するクラスタ内の、サービングセルが属する基地局以外の別の基地局のセルにクラスタリング情報を送信する。クラウドベースバンド(Cloud Base Band、略してCloud BB)処理ユニットモードにあるとき、協調するクラスタ内のすべてのセルは、ネットワーク全体の最適化を実行するために、バックホール回線を使用することによってまたはメモリ共有の方法でクラスタリング情報を知らされる。
【００７７】
図4は、本発明の実施形態による基地局の概略的な構造図である。図4に示されるように、本発明のこの実施形態において提供される基地局は、第1の取得モジュール401、第2の取得モジュール402、およびクラスタリングモジュール403を含む。
【００７８】
第1の取得モジュール401は、初期情報を取得するように構成され、初期情報は、サービングセルと近隣のセルとの間のハンドオーバについての情報またはサービングセルと近隣のセルとの間の干渉についての情報を示すために使用され、近隣のセルは、サービングセルに隣接するセルであり、サービングセルは、第1のユーザ機器UEがあるセルである。第2の取得モジュール402は、初期情報に従ってサービングセルと近隣のセルとの間の干渉の評価指標を取得するように構成される。クラスタリングモジュール403は、干渉の評価指標に従ってサービングセルおよび近隣のセルをクラスタリングするように構成される。
【００７９】
この実施形態のセルクラスタリングのための基地局は、図1に示されたセルクラスタリング方法の実施形態の技術的解決策を実行するように構成される可能性があり、基地局の実装の原理は、同様であり、本明細書において再び説明されない。
【００８０】
本発明のこの実施形態において提供される基地局によれば、サービングセルと近隣のセルとの間の干渉の評価指標が、取得された初期情報を使用することによって得られ、サービングセルおよび近隣のセルが、干渉の評価指標に従ってクラスタリングされる。初期情報は、サービングセルと近隣のセルとの間のハンドオーバについての情報、またはサービングセルと近隣のセルとの間の干渉についての情報を示すために使用される。近隣のセルは、サービングセルに隣接するセルであり、サービングセルは、第1のユーザ機器UEがあるセルである。セルの間の干渉の評価指標が近隣のセルの初期情報に従って得られ、それから、セルが協調するクラスタに動的にグループ化されるので、通信システムの性能が高められる。
【００８１】
図5は、本発明の別の実施形態による基地局の概略的な構造図である。図5に示されるように、この実施形態は、図4に示された実施形態に基づく。第2の取得モジュール402は、第1のハンドオーバ量取得サブモジュール4021および第1の処理サブモジュール4022を含む。
【００８２】
第1のハンドオーバ量取得サブモジュール4021は、初期情報がサービングセルと近隣のセルとの間のハンドオーバについての情報を示すために使用されるとき、近隣のセルからサービングセルへのハンドオーバの第1のハンドオーバの量を取得するように構成される。第1の処理サブモジュール4022は、第1のハンドオーバの量が第1の予め設定された閾値を超えている場合に、予め設定された第1の増加関数および第1のハンドオーバの量に従ってサービングセルと近隣のセルとの間の干渉の評価指標を取得するように構成される。
【００８３】
任意で、第2の取得モジュール402は、第2のハンドオーバ量取得サブモジュール4023および第2の処理サブモジュール4024を含む。
【００８４】
第2のハンドオーバ量取得サブモジュール4023は、初期情報がサービングセルと近隣のセルとの間のハンドオーバについての情報を示すために使用されるとき、サービングセルから近隣のセルへのハンドオーバの第2のハンドオーバの量を取得するように構成される。第2の処理サブモジュール4024は、第2のハンドオーバの量が第2の予め設定された閾値を超えている場合に、予め設定された第2の増加関数および第2のハンドオーバの量に従ってサービングセルと近隣のセルとの間の干渉の評価指標を取得するように構成される。
【００８５】
任意で、第2の取得モジュール402は、第3の処理サブモジュール4025を含む。
【００８６】
第3の処理サブモジュール4025は、初期情報がサービングセルと近隣のセルとの間の干渉についての情報を示すために使用されるとき、近隣のセルに対してサービングセル内の複数のUEによって送信された信号のアップリンク基準信号受信電力RSRPに従ってサービングセルと近隣のセルとの間の干渉の評価指標を取得するように構成され、複数のUEは、第1のUEを含む。
【００８７】
第3の処理サブモジュール4025は、特に、
第1のUEによって報告されるダウンリンクRSRPに従って第1の信号の差を取得することであって、第1の信号の差が、サービングセルのダウンリンクRSRPと近隣のセルのダウンリンクRSRPとの間の信号の差であり、第1のUEによって報告されるダウンリンクRSRPが、サービングセルによって第1のUEに送信された信号のダウンリンクRSRPおよび近隣のセルによって第1のUEに送信された信号のダウンリンクRSRPを含む、取得することと、
第1の信号の差および第1のUEによってサービングセルに送信された信号のアップリンクRSRPに従って、第1のUEによって近隣のセルに送信された信号のアップリンクRSRPを取得することとを行うように構成される。
【００８８】
任意で、第2の取得モジュール402は、第4の処理サブモジュール4026を含む。
【００８９】
第4の処理サブモジュール4026は、初期情報がサービングセルと近隣のセルとの間の干渉についての情報を示すために使用されるとき、サービングセルに対して近隣のセル内の複数のUEによって送信された信号のアップリンク基準信号受信電力RSRPに従ってサービングセルと近隣のセルとの間の干渉の評価指標を取得するように構成され、複数のUEは、第2のUEを含む。
【００９０】
第4の処理サブモジュール4026は、特に、
第2のUEによって報告されるダウンリンクRSRPに従って第2の信号の差を取得することであって、第2の信号の差が、近隣のセルのダウンリンクRSRPとサービングセルのダウンリンクRSRPとの間の信号の差であり、第2のUEによって報告されるダウンリンクRSRPが、近隣のセルによって第2のUEに送信された信号のダウンリンクRSRPおよびサービングセルによって第2のUEに送信された信号のダウンリンクRSRPを含む、取得することと、
第2の信号の差および第2のUEによって近隣のセルに送信された信号のアップリンクRSRPに従って、第2のUEによってサービングセルに送信された信号のアップリンクRSRPを取得することとを行うように構成される。
【００９１】
任意で、クラスタリングモジュール403は、特に、干渉の評価指標が第3の予め設定された閾値を超えている近隣のセルと、サービングセルとを、同じクラスタにグループ化するように構成される。
【００９２】
任意で、基地局は、遅延判定モジュール404をさらに含む。遅延判定モジュール404は、第1のUEと近隣のセルとの間の遅延が第4の予め設定された閾値未満であるとき、干渉の評価指標に従ってサービングセルおよび近隣のセルをクラスタリングする動作を実行するように構成される。
【００９３】
この実施形態の基地局は、本発明のいずれかの実施形態において提供されたセルクラスタリング方法の技術的解決策を実行するように構成される可能性があり、基地局の実装の原理および技術的効果は、同様であり、本明細書において再び説明されない。
【００９４】
図6は、本発明のさらに別の実施形態による基地局の概略的な構造図である。図6に示されるように、この実施形態において提供される基地局100は、プロセッサ1001、メモリ1002、および受信機1003を含み、受信機1003は、プロセッサ1001に接続される可能性がある。メモリ1002は、実行命令を記憶する。基地局100が実行されるとき、プロセッサ1001は、メモリ1002と通信し、プロセッサ1001は、以下の動作、すなわち、
初期情報を取得する動作であって、初期情報が、サービングセルと近隣のセルとの間のハンドオーバについての情報またはサービングセルと近隣のセルとの間の干渉についての情報を示すために使用され、近隣のセルが、サービングセルに隣接するセルであり、サービングセルが、第1のユーザ機器UEがあるセルである、動作と、
初期情報に従ってサービングセルと近隣のセルとの間の干渉の評価指標を取得する動作と、
干渉の評価指標に従ってサービングセルおよび近隣のセルをクラスタリングする動作とを実行するためのメモリ1002内の実行命令を呼び出す。
【００９５】
任意で、初期情報に従ってサービングセルと近隣のセルとの間の干渉の評価指標を取得する動作が、
初期情報がサービングセルと近隣のセルとの間のハンドオーバについての情報を示すために使用されるとき、近隣のセルからサービングセルへのハンドオーバの第1のハンドオーバの量を取得することと、
第1のハンドオーバの量が第1の予め設定された閾値を超えている場合に、予め設定された第1の増加関数および第1のハンドオーバの量に従ってサービングセルと近隣のセルとの間の干渉の評価指標を取得することとを含む。
【００９６】
任意で、初期情報に従ってサービングセルと近隣のセルとの間の干渉の評価指標を取得する動作が、
初期情報がサービングセルと近隣のセルとの間のハンドオーバについての情報を示すために使用されるとき、サービングセルから近隣のセルへのハンドオーバの第2のハンドオーバの量を取得することと、
第2のハンドオーバの量が第2の予め設定された閾値を超えている場合に、予め設定された第2の増加関数および第2のハンドオーバの量に従ってサービングセルと近隣のセルとの間の干渉の評価指標を取得することとを含む。
【００９７】
任意で、初期情報に従ってサービングセルと近隣のセルとの間の干渉の評価指標を取得する動作が、
初期情報がサービングセルと近隣のセルとの間の干渉についての情報を示すために使用されるとき、近隣のセルに対してサービングセル内の複数のUEによって送信された信号のアップリンク基準信号受信電力RSRPに従ってサービングセルと近隣のセルとの間の干渉の評価指標を取得することを含み、複数のUEが、第1のUEを含み、
サービングセル内の第1のUEによって近隣のセルに送信された信号のアップリンクRSRPを取得することが、
第1のUEによって報告されるダウンリンクRSRPに従って第1の信号の差を取得することであって、第1の信号の差が、サービングセルのダウンリンクRSRPと近隣のセルのダウンリンクRSRPとの間の信号の差であり、第1のUEによって報告されるダウンリンクRSRPが、サービングセルによって第1のUEに送信された信号のダウンリンクRSRPおよび近隣のセルによって第1のUEに送信された信号のダウンリンクRSRPを含む、取得することと、
第1の信号の差および第1のUEによってサービングセルに送信された信号のアップリンクRSRPに従って、第1のUEによって近隣のセルに送信された信号のアップリンクRSRPを取得することとを含む。
【００９８】
任意で、初期情報に従ってサービングセルと近隣のセルとの間の干渉の評価指標を取得する動作が、
初期情報がサービングセルと近隣のセルとの間の干渉についての情報を示すために使用されるとき、サービングセルに対して近隣のセル内の複数のUEによって送信された信号のアップリンク基準信号受信電力RSRPに従ってサービングセルと近隣のセルとの間の干渉の評価指標を取得することを含み、複数のUEが、第2のUEを含み、
近隣のセル内の第2のUEによってサービングセルに送信された信号のアップリンクRSRPを取得することが、
第2のUEによって報告されるダウンリンクRSRPに従って第2の信号の差を取得することであって、第2の信号の差が、近隣のセルのダウンリンクRSRPとサービングセルのダウンリンクRSRPとの間の信号の差であり、第2のUEによって報告されるダウンリンクRSRPが、近隣のセルによって第2のUEに送信された信号のダウンリンクRSRPおよびサービングセルによって第2のUEに送信された信号のダウンリンクRSRPを含む、取得することと、
第2の信号の差および第2のUEによって近隣のセルに送信された信号のアップリンクRSRPに従って、第2のUEによってサービングセルに送信された信号のアップリンクRSRPを取得することとを含む。
【００９９】
任意で、干渉の評価指標に従ってサービングセルおよび近隣のセルをクラスタリングする動作が、
干渉の評価指標が第3の予め設定された閾値を超えている近隣のセルと、サービングセルとを、同じクラスタにグループ化することを含む。
【０１００】
任意で、干渉の評価指標に従ってサービングセルおよび近隣のセルをクラスタリングする動作の前に、動作は、
第1のUEと近隣のセルとの間の遅延が第4の予め設定された閾値未満であるとき、干渉の評価指標に従ってサービングセルおよび近隣のセルをクラスタリングする動作を実行することをさらに含む。
【０１０１】
この実施形態の基地局は、本発明のいずれかの実施形態において提供されたセルクラスタリング方法の技術的解決策を実行するように構成される可能性があり、基地局の実装の原理および技術的効果は、同様であり、本明細書において再び説明されない。
【０１０２】
当業者は、方法の実施形態のステップのすべてまたは一部が、関連するハードウェアに指示を与えるプログラムによって実装され得ることを理解するであろう。プログラムは、コンピュータ可読ストレージ媒体に記憶され得る。プログラムが実行されるとき、方法の実施形態のステップが実行される。上述のストレージ媒体は、ROM、RAM、磁気ディスク、または光ディスクなどのプログラムコードを記憶することができる任意の媒体を含む。
【０１０３】
最後に、上述の実施形態は、本発明の技術的解決策を説明するように意図されているに過ぎず、本発明を限定するように意図されていないことに留意されたい。本発明が上述の実施形態に関連して詳細に説明されているが、当業者は、当業者が、本発明の実施形態の技術的解決策の範囲を逸脱することなく、上述の実施形態で説明された技術的解決策に対する修正をやはり行う可能性があり、またはそれらの技術的解決策の一部もしくはすべての技術的な特徴に対して均等な置き換えを行う可能性があることを理解するに違いない。
【符号の説明】
【０１０４】
100  基地局
401  第1の取得モジュール
402  第2の取得モジュール
403  クラスタリングモジュール
404  遅延判定モジュール
1001  プロセッサ
1002  メモリ
1003  受信機
4021  第1のハンドオーバ量取得サブモジュール
4022  第1の処理サブモジュール
4023  第2のハンドオーバ量取得サブモジュール
4024  第2の処理サブモジュール
4025  第3の処理サブモジュール
4026  第4の処理サブモジュール
【図１】
2017537532.tif 000005
【図２】
2017537532.tif 000006
【図３】
2017537532.tif 000007
【図４】
2017537532.tif 000008
【図５】
2017537532.tif 000009
【図６】
2017537532.tif 000010
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
セルクラスタリング方法であって、
初期情報を取得するステップであって、前記初期情報が、サービングセルと近隣のセルとの間のハンドオーバについての情報またはサービングセルと近隣のセルとの間の干渉についての情報を示すために使用され、前記近隣のセルが、前記サービングセルに隣接するセルであり、前記サービングセルが、第1のユーザ機器(UE)があるセルである、ステップと、
前記初期情報に従って前記サービングセルと前記近隣のセルとの間の干渉の評価指標を取得するステップと、
前記干渉の評価指標に従って前記サービングセルおよび前記近隣のセルをクラスタリングするステップとを含む、方法。
【請求項２】
前記初期情報に従って前記サービングセルと前記近隣のセルとの間の干渉の評価指標を取得する前記ステップが、
前記初期情報が前記サービングセルと前記近隣のセルとの間のハンドオーバについての前記情報を示すために使用されるとき、前記近隣のセルから前記サービングセルへのハンドオーバの第1のハンドオーバの量を取得することと、
前記第1のハンドオーバの量が第1の予め設定された閾値を超えている場合に、予め設定された第1の増加関数および前記第1のハンドオーバの量に従って前記サービングセルと前記近隣のセルとの間の干渉の前記評価指標を取得することとを含む請求項1に記載の方法。
【請求項３】
前記初期情報に従って前記サービングセルと前記近隣のセルとの間の干渉の評価指標を取得する前記ステップが、
前記初期情報が前記サービングセルと前記近隣のセルとの間のハンドオーバについての前記情報を示すために使用されるとき、前記サービングセルから前記近隣のセルへのハンドオーバの第2のハンドオーバの量を取得することと、
前記第2のハンドオーバの量が第2の予め設定された閾値を超えている場合に、予め設定された第2の増加関数および前記第2のハンドオーバの量に従って前記サービングセルと前記近隣のセルとの間の干渉の前記評価指標を取得することとを含む請求項1に記載の方法。
【請求項４】
前記初期情報に従って前記サービングセルと前記近隣のセルとの間の干渉の評価指標を取得する前記ステップが、
前記初期情報が前記サービングセルと前記近隣のセルとの間の干渉についての前記情報を示すために使用されるとき、前記近隣のセルに対して前記サービングセル内の複数のUEによって送信された信号のアップリンク基準信号受信電力(RSRP)に従って前記サービングセルと前記近隣のセルとの間の干渉の前記評価指標を取得することを含み、前記複数のUEが、前記第1のUEを含み、
前記サービングセル内の前記第1のUEによって前記近隣のセルに送信された信号のアップリンクRSRPを取得することが、
前記第1のUEによって報告されるダウンリンクRSRPに従って第1の信号の差を取得することであって、前記第1の信号の差が、前記サービングセルのダウンリンクRSRPと前記近隣のセルのダウンリンクRSRPとの間の信号の差であり、前記第1のUEによって報告される前記ダウンリンクRSRPが、前記サービングセルによって前記第1のUEに送信された信号のダウンリンクRSRPおよび前記近隣のセルによって前記第1のUEに送信された信号のダウンリンクRSRPを含む、取得することと、
前記第1の信号の差および前記第1のUEによって前記サービングセルに送信された信号のアップリンクRSRPに従って、前記第1のUEによって前記近隣のセルに送信された前記信号の前記アップリンクRSRPを取得することとを含む請求項1に記載の方法。
【請求項５】
前記初期情報に従って前記サービングセルと前記近隣のセルとの間の干渉の評価指標を取得する前記ステップが、
前記初期情報が前記サービングセルと前記近隣のセルとの間の干渉についての前記情報を示すために使用されるとき、前記サービングセルに対して前記近隣のセル内の複数のUEによって送信された信号のアップリンク基準信号受信電力RSRPに従って前記サービングセルと前記近隣のセルとの間の干渉の前記評価指標を取得することを含み、前記複数のUEが、第2のUEを含み、
前記近隣のセル内の前記第2のUEによって前記サービングセルに送信された信号のアップリンクRSRPを取得することが、
前記第2のUEによって報告されるダウンリンクRSRPに従って第2の信号の差を取得することであって、前記第2の信号の差が、前記近隣のセルのダウンリンクRSRPと前記サービングセルのダウンリンクRSRPとの間の信号の差であり、前記第2のUEによって報告される前記ダウンリンクRSRPが、前記近隣のセルによって前記第2のUEに送信された信号のダウンリンクRSRPおよび前記サービングセルによって前記第2のUEに送信された信号のダウンリンクRSRPを含む、取得することと、
前記第2の信号の差および前記第2のUEによって前記近隣のセルに送信された信号のアップリンクRSRPに従って、前記第2のUEによって前記サービングセルに送信された前記信号の前記アップリンクRSRPを取得することとを含む請求項1に記載の方法。
【請求項６】
前記干渉の評価指標に従って前記サービングセルおよび前記近隣のセルをクラスタリングする前記ステップが、
干渉の評価指標が第3の予め設定された閾値を超えている近隣のセルと、前記サービングセルとを、同じクラスタにグループ化することを含む請求項1から5のいずれか一項に記載の方法。
【請求項７】
前記干渉の評価指標に従って前記サービングセルおよび前記近隣のセルをクラスタリングする前に、
前記第1のUEと前記近隣のセルとの間の遅延が第4の予め設定された閾値未満であるとき、前記干渉の評価指標に従って前記サービングセルおよび前記近隣のセルをクラスタリングする動作を実行するステップをさらに含む請求項1から6のいずれか一項に記載の方法。
【請求項８】
初期情報を取得するように構成された第1の取得モジュールであって、前記初期情報が、サービングセルと近隣のセルとの間のハンドオーバについての情報またはサービングセルと近隣のセルとの間の干渉についての情報を示すために使用され、前記近隣のセルが、前記サービングセルに隣接するセルであり、前記サービングセルが、第1のユーザ機器UEがあるセルである、第1の取得モジュールと、
前記初期情報に従って前記サービングセルと前記近隣のセルとの間の干渉の評価指標を取得するように構成された第2の取得モジュールと、
前記干渉の評価指標に従って前記サービングセルおよび前記近隣のセルをクラスタリングするように構成されたクラスタリングモジュールとを含む基地局。
【請求項９】
前記第2の取得モジュールが、
前記初期情報が前記サービングセルと前記近隣のセルとの間のハンドオーバについての前記情報を示すために使用されるとき、前記近隣のセルから前記サービングセルへのハンドオーバの第1のハンドオーバの量を取得するように構成された第1のハンドオーバ量取得サブモジュールと、
前記第1のハンドオーバの量が第1の予め設定された閾値を超えている場合に、予め設定された第1の増加関数および前記第1のハンドオーバの量に従って前記サービングセルと前記近隣のセルとの間の干渉の前記評価指標を取得するように構成された第1の処理サブモジュールとを含む請求項8に記載の基地局。
【請求項１０】
前記第2の取得モジュールが、
前記初期情報が前記サービングセルと前記近隣のセルとの間のハンドオーバについての前記情報を示すために使用されるとき、前記サービングセルから前記近隣のセルへのハンドオーバの第2のハンドオーバの量を取得するように構成された第2のハンドオーバ量取得サブモジュールと、
前記第2のハンドオーバの量が第2の予め設定された閾値を超えている場合に、予め設定された第2の増加関数および前記第2のハンドオーバの量に従って前記サービングセルと前記近隣のセルとの間の干渉の前記評価指標を取得するように構成された第2の処理サブモジュールとを含む請求項8に記載の基地局。
【請求項１１】
前記第2の取得モジュールが、
前記初期情報が前記サービングセルと前記近隣のセルとの間の干渉についての前記情報を示すために使用されるとき、前記近隣のセルに対して前記サービングセル内の複数のUEによって送信された信号のアップリンク基準信号受信電力RSRPに従って前記サービングセルと前記近隣のセルとの間の干渉の前記評価指標を取得するように構成された第3の処理サブモジュールを含み、前記複数のUEが、前記第1のUEを含み、
前記第3の処理サブモジュールが、
前記第1のUEによって報告されるダウンリンクRSRPに従って第1の信号の差を取得することであって、前記第1の信号の差が、前記サービングセルのダウンリンクRSRPと前記近隣のセルのダウンリンクRSRPとの間の信号の差であり、前記第1のUEによって報告される前記ダウンリンクRSRPが、前記サービングセルによって前記第1のUEに送信された信号のダウンリンクRSRPおよび前記近隣のセルによって前記第1のUEに送信された信号のダウンリンクRSRPを含む、取得することと、
前記第1の信号の差および前記第1のUEによって前記サービングセルに送信された信号のアップリンクRSRPに従って、前記第1のUEによって前記近隣のセルに送信された信号のアップリンクRSRPを取得することとを行うように構成される請求項8に記載の基地局。
【請求項１２】
前記第2の取得モジュールが、
前記初期情報が前記サービングセルと前記近隣のセルとの間の干渉についての前記情報を示すために使用されるとき、前記サービングセルに対して前記近隣のセル内の複数のUEによって送信された信号のアップリンク基準信号受信電力RSRPに従って前記サービングセルと前記近隣のセルとの間の干渉の前記評価指標を取得するように構成された第4の処理サブモジュールを含み、前記複数のUEが、第2のUEを含み、
前記第4の処理サブモジュールが、
前記第2のUEによって報告されるダウンリンクRSRPに従って第2の信号の差を取得することであって、前記第2の信号の差が、前記近隣のセルのダウンリンクRSRPと前記サービングセルのダウンリンクRSRPとの間の信号の差であり、前記第2のUEによって報告される前記ダウンリンクRSRPが、前記近隣のセルによって前記第2のUEに送信された信号のダウンリンクRSRPおよび前記サービングセルによって前記第2のUEに送信された信号のダウンリンクRSRPを含む、取得することと、
前記第2の信号の差および前記第2のUEによって前記近隣のセルに送信された信号のアップリンクRSRPに従って、前記第2のUEによって前記サービングセルに送信された信号のアップリンクRSRPを取得することとを行うように構成される請求項8に記載の基地局。
【請求項１３】
前記クラスタリングモジュールが、
干渉の評価指標が第3の予め設定された閾値を超えている近隣のセルと、前記サービングセルとを、同じクラスタにグループ化するように構成される請求項8から12のいずれか一項に記載の基地局。
【請求項１４】
前記第1のUEと前記近隣のセルとの間の遅延が第4の予め設定された閾値未満であるとき、前記干渉の評価指標に従って前記サービングセルおよび前記近隣のセルをクラスタリングする動作を実行するように構成された遅延判定モジュールをさらに含む請求項8から13のいずれか一項に記載の基地局。
【手続補正２】
【補正対象書類名】明細書
【補正対象項目名】００２１
【補正方法】変更
【補正の内容】
【００２１】
本発明の実施形態における技術的解決策をより明瞭に説明するために、以下で、実施形態または従来技術を説明するために必要とされる添付の図面を簡潔に説明する。明らかに、以下の説明の添付の図面は、本発明の一部の実施形態を示しており、当業者は、創造的な努力なしにこれらの添付の図面からその他の図面を導き出すことがやはり可能である。
【手続補正３】
【補正対象書類名】明細書
【補正対象項目名】００２４
【補正方法】変更
【補正の内容】
【００２４】
本発明の実施形態において提供される方法は、異なる標準、たとえば、移動体通信用グローバルシステム(GSM(登録商標))、符号分割多元接続(CDMA)システム、CDMA2000システム、広帯域符号分割多元接続(WCDMA(登録商標))システム、時分割同期符号分割多元接続(TD-SCDMA)システム、およびロングタームエボリューション(LTE)システムもしくはLTEの後続の発展システムなどのワイヤレスネットワークに適用され得る。無線アクセスネットワークは、異なるシステムの異なるネットワーク要素を含む可能性がある。たとえば、LTEおよびLTEの後続の発展システムの無線アクセスネットワークのネットワーク要素は、進化型NodeB(eNodeB)を含み、これは、本発明の実施形態において限定されない。
【手続補正４】
【補正対象書類名】明細書
【補正対象項目名】００３１
【補正方法】変更
【補正の内容】
【００３１】
この実施形態においては、サービングセルおよび近隣のセルをクラスタリングするために近隣のセルに対してサービングセルによって引き起こされる干渉の評価指標が使用されるのかまたはサービングセルに対して近隣のセルによって引き起こされる干渉の評価指標が使用されるかは、協調アルゴリズムの種類に応じて決定され得る。特定の実装プロセスにおいては、協調アルゴリズムの出力が近隣のセルの代わりにサービングセルにのみ影響を与える場合に、サービングセルが属する基地局が、サービングセルに対して近隣のセルによって引き起こされる干渉の評価指標に従ってサービングセルおよび近隣のセルをクラスタリングするか、または協調アルゴリズムの出力がサービングセルと近隣のセルとの両方に影響を与える場合に、サービングセルが属する基地局が、近隣のセルに対してサービングセルによって引き起こされる干渉の評価指標に従ってサービングセルおよび近隣のセルをクラスタリングする。協調アルゴリズムは、協調干渉予測適応変調符号化(AMC)アルゴリズム、マルチセル干渉除去アルゴリズム、協調されたスケジューリングに基づく電力制御(coordinated scheduling-based power control)アルゴリズムなどである可能性がある。特定の実装プロセスにおいては、異なる応用に応じて異なる協調アルゴリズムが選択される可能性がある。協調アルゴリズムの特定の種類は、本発明において本明細書で特に限定されない。
【手続補正５】
【補正対象書類名】明細書
【補正対象項目名】００４２
【補正方法】変更
【補正の内容】
【００４２】
方法3:  初期情報がサービングセルと近隣のセルとの間の干渉についての情報を示すために使用されるとき、近隣のセルに対してサービングセルによって引き起こされる干渉の評価指標は、サービングセル内の複数のユーザ機器(UE)によって近隣のセルに送信された信号のアップリンク基準信号受信電力(RSRP)に従って得られる。
【手続補正６】
【補正対象書類名】明細書
【補正対象項目名】００６０
【補正方法】変更
【補正の内容】
【００６０】
図2は、本発明の別の実施形態によるセルクラスタリング方法の概略的な流れ図である。図2に示されるように、この実施形態の方法は、以下のステップを含む可能性がある。
【手続補正７】
【補正対象書類名】明細書
【補正対象項目名】００７２
【補正方法】変更
【補正の内容】
【００７２】
さらに、上述の方法の実施形態においては、協調アルゴリズムがたとえばインターネットプロトコル無線アクセスネットワーク(IP RAN)における情報のやりとりの遅延に関する要件を有する場合、セルクラスタリングが実行される前に、まず、第1のUEと近隣のセルとの間の遅延が第4の予め設定された閾値未満であるかどうかを判定することが必要とされる。遅延が第4の予め設定された閾値未満である、つまり、情報のやりとりに関する協調アルゴリズムの遅延の要件が満たされると判定される場合、サービングセルと近隣のセルとが、協調するクラスタを得るために干渉の評価指標に従ってクラスタリングされ、または第1のUEと近隣のセルとの間の遅延が情報のやりとりに関する協調アルゴリズムの遅延の要件を満たさない場合、近隣のセルが、クラスタリング中に考慮されない。
【手続補正８】
【補正対象書類名】明細書
【補正対象項目名】００７６
【補正方法】変更
【補正の内容】
【００７６】
さらに、上述の方法の実施形態においては、セルクラスタリングが完了し、協調するクラスタが得られた後、IP RANネットワーキングモードにある場合、サービングセルが属する基地局が、X2インターフェースを使用することによって、協調するクラスタ内の、サービングセルが属する基地局以外の別の基地局のセルにクラスタリング情報を送信する。クラウドベースバンド(Cloud BB)処理ユニットモードにあるとき、協調するクラスタ内のすべてのセルは、ネットワーク全体の最適化を実行するために、バックホール回線を使用することによってまたはメモリ共有の方法でクラスタリング情報を知らされる。
【国際調査報告】
2017537532.tif 000011
2017537532.tif 000012
2017537532.tif 000013
2017537532.tif 000014
2017537532.tif 000015
2017537532.tif 000016